(57)【要約】【課題】既設の梁部材を残して、柱部材の脚部に伝えられる基礎荷重を改造前の建設当初の状態とほぼ同じにすることができる架構構造を提供する。【解決手段】架構６上における既設機器としてのエレメント固定式の空気予熱器の荷重支持点Ｐ１に対し新設機器としてのエレメント回転式の空気予熱器８の荷重を伝達するリング梁９を備える。【選択図】　　　　図１
2004143802.tif 000002
【特許請求の範囲】
【請求項１】
柱部材と梁部材とを組み立ててなる架構上に設置された既設機器を形式の異なる新設機器に取り替えるための架構構造であって、
架構上における既設機器の荷重支持点に対し新設機器の荷重を伝達するリング梁を備えたことを特徴とする架構構造。
【請求項２】
リング梁の断面形状をボックス形状とした請求項１記載の架構構造。
【請求項３】
既設機器をエレメント固定式の空気予熱器とし、新設機器をエレメント回転式の空気予熱器とした請求項１又は２記載の架構構造。
【発明の詳細な説明】
【０００１】
【発明の属する技術分野】
本発明は、柱部材と梁部材とを組み立ててなる架構上に設置された既設機器を形式の異なる新設機器に取り替えるための架構構造に関するものである。
【０００２】
【従来の技術】
一般に、ボイラプラントにおいては、ボイラ本体から排出される排ガスの熱によってボイラ本体へ導入される空気を予熱するための空気予熱器が設置されるが、該空気予熱器としては主に、エレメント固定式の空気予熱器（いわゆるローテミューレ式空気予熱器）と、エレメント回転式の空気予熱器（いわゆるユングストローム式空気予熱器）とが採用されている。
【０００３】
図４は既設機器としてエレメント固定式の空気予熱器が設置された架構の一例を表わす平面図であって、立設される柱部材１，２の間に、梁部材３，４，５を掛け渡すように設けることにより、架構６を構成し、該架構６上に、既設機器としてのエレメント固定式の空気予熱器７を、その荷重支持点Ｐ１が梁部材４上に位置するよう設置したものである。尚、図４中、４ａは梁部材４上に設置されたレベル調整用のライナであり、該ライナ４ａ上にエレメント固定式の空気予熱器７が載置されるようになっている。
【０００４】
前述の如き架構６においては、荷重支持点Ｐ１に作用する既設機器としてのエレメント固定式の空気予熱器７の荷重は、梁部材４から梁部材３，５を介して柱部材１，２の脚部に伝えられ、基礎荷重として基礎（図示せず）へ作用するようになっている。
【０００５】
ところで、既設機器としてのエレメント固定式の空気予熱器７を、新設機器としてエレメント回転式の空気予熱器に取り替えようとした場合、該空気予熱器の構造上、その荷重支持点が変わるため、通常の考え方では、既設の梁部材４，５を取り外して別の梁部材を追設し、柱部材１，２の脚部に伝えられる基礎荷重が改造前の建設当初の状態と同等になるようにすることになる。
【０００６】
尚、このような工事は、従来、全く行われておらず、公知となっている特許文献は存在していない。
【０００７】
【発明が解決しようとする課題】
しかしながら、前述の如く、既設の梁部材４，５を取り外して別の梁部材を追設するのでは、柱部材１，２の脚部に伝えられる基礎荷重を改造前の建設当初の状態と全く同じにすることは困難となる一方、架構６内における限られた狭い空間での梁通しとなるため、追設する梁部材のレベルは、既設の梁部材３より高くせざるを得ず、しかも、新設機器としてのエレメント回転式の空気予熱器の荷重支持点に発生する長期並びに短期の水平力に対し水平トラス等を外側に張り出すように設けなければならず、既設のメンテナンス足場（図示せず）が使用できなくなるという不具合を有していた。
【０００８】
本発明は、斯かる実情に鑑み、既設の梁部材を残して、柱部材の脚部に伝えられる基礎荷重を改造前の建設当初の状態と全く同じにすることができ、又、既設のメンテナンス足場をそのまま活用し得る架構構造を提供しようとするものである。
【０００９】
【課題を解決するための手段】
本発明は、柱部材と梁部材とを組み立ててなる架構上に設置された既設機器を形式の異なる新設機器に取り替えるための架構構造であって、
架構上における既設機器の荷重支持点に対し新設機器の荷重を伝達するリング梁を備えたことを特徴とする架構構造にかかるものである。
【００１０】
上記手段によれば、以下のような作用が得られる。
【００１１】
新設機器の荷重は、架構上における既設機器の荷重支持点に対しリング梁を介して伝達されるため、既設の梁部材を取り外して別の梁部材を追設するのとは異なり、柱部材の脚部に伝えられる基礎荷重が改造前の建設当初の状態とほぼ同じとなる。
【００１２】
前記架構構造においては、リング梁の断面形状をボックス形状とすることができ、このようにすると、新設機器としてのエレメント回転式の空気予熱器の荷重支持点に発生する長期並びに短期の水平力に対し水平トラス等を外側に張り出すように設けなくて済み、既設のメンテナンス足場が使用可能となる。
【００１３】
又、前記架構構造においては、既設機器をエレメント固定式の空気予熱器とし、新設機器をエレメント回転式の空気予熱器とすることができる。
【００１４】
【発明の実施の形態】
以下、本発明の実施の形態を図示例と共に説明する。
【００１５】
図１〜図３は本発明を実施する形態の一例であって、図中、図４と同一の符号を付した部分は同一物を表わしており、基本的な構成は図４に示す従来のものと同様であるが、本図示例の特徴とするところは、図１〜図３に示す如く、架構６上における既設機器としてのエレメント固定式の空気予熱器７の荷重支持点Ｐ１に対し新設機器としてのエレメント回転式の空気予熱器８の荷重を伝達するリング梁９を備えた点にある。
【００１６】
本図示例の場合、前記新設機器としてのエレメント回転式の空気予熱器８の荷重は、リング梁９上における荷重支持点Ｐ２に作用する形となっているが、図２及び図３に示す如く、既設の梁部材４における前記エレメント固定式の空気予熱器７の荷重支持点Ｐ１に対し、既設のライナ４ａとレベル調整用のライナ１０とを介してリング梁９を載置することにより、前記荷重支持点Ｐ２に作用する荷重を架構６の既設の梁部材４へ伝達するようにしてある。
【００１７】
又、前記リング梁９の断面形状は、図２及び図３に示す如く、ボックス形状とし、その内部における前記荷重支持点Ｐ１の対応箇所には、補強リブ１１を取り付けると共に、内面側には、必要に応じて裏当金１２を取り付けるようにしてある。
【００１８】
次に、上記図示例の作用を説明する。
【００１９】
新設機器としてのエレメント回転式の空気予熱器８の荷重は、リング梁９上における荷重支持点Ｐ２に作用するが、該リング梁９を介して、架構６上における既設機器としてのエレメント固定式の空気予熱器７の荷重支持点Ｐ１に対し伝達されるため、既設の梁部材４，５を取り外して別の梁部材を追設するのとは異なり、柱部材１，２の脚部に伝えられる基礎荷重が改造前の建設当初の状態とほぼ同じとなる。
【００２０】
しかも、本図示例においては、リング梁９の断面形状をボックス形状としてあるため、新設機器としてのエレメント回転式の空気予熱器８の荷重支持点Ｐ２に発生する長期並びに短期の水平力に対し水平トラス等を外側に張り出すように設けなくて済み、既設のメンテナンス足場（図示せず）が使用可能となる。
【００２１】
こうして、既設の梁部材４，５を残して、柱部材１，２の脚部に伝えられる基礎荷重を改造前の建設当初の状態とほぼ同じにすることができ、又、既設のメンテナンス足場をそのまま活用し得る。
【００２２】
尚、本発明の架構構造は、上述の図示例にのみ限定されるものではなく、本発明の要旨を逸脱しない範囲内において種々変更を加え得ることは勿論である。
【００２３】
【発明の効果】
以上、説明したように本発明の架構構造によれば、既設の梁部材を残して、柱部材の脚部に伝えられる基礎荷重を改造前の建設当初の状態とほぼ同じにすることができ、又、既設のメンテナンス足場をそのまま活用し得るという優れた効果を奏し得る。
【図面の簡単な説明】
【図１】本発明を実施する形態の一例の平面図である。
【図２】本発明を実施する形態の一例におけるリング梁の部分断面図であって、図１のＩＩ−ＩＩ断面相当図である。
【図３】図２のＩＩＩ−ＩＩＩ矢視図である。
【図４】既設機器としてのエレメント固定式の空気予熱器が設置された架構の一例を表
わす平面図である。
【符号の説明】
１　　　　柱部材
２　　　　柱部材
３　　　　梁部材
４　　　　梁部材
５　　　　梁部材
６　　　　架構
７　　　　エレメント固定式の空気予熱器（既設機器）
８　　　　エレメント回転式の空気予熱器（新設機器）
９　　　　リング梁
Ｐ１　　　　荷重支持点
Ｐ２　　　　荷重支持点
【図１】
2004143802.tif 000003
【図２】
2004143802.tif 000004
【図３】
2004143802.tif 000005
【図４】
2004143802.tif 000006